(57)【要約】【課題】電力供給能力が大きく、かつ電力損失が少ない非接触電力伝送システムの送電装置、非接触電力伝送システム、および非接触電力伝送システムの電力伝送能力調整方法を提供する。【解決手段】非接触電力伝送システム１の送電装置１０は、出力部３０を駆動する駆動部４０および駆動方式切替部５０を有する。駆動方式切替部５０は、受電装置２０の消費電力情報に応じて、駆動部４０の駆動方式としてハーフブリッジ駆動方式またはフルブリッジ駆動方式のいずれか一方を選択する。【選択図】図１
2014054134.tif 000002
【特許請求の範囲】
【請求項１】
非接触電力伝送システムの送電装置であって、
前記送電装置は、出力部、発振部、駆動部、および駆動方式切替部を有し、
前記出力部は、前記駆動部から出力される信号に基づいて電力を伝送し、
前記発振部は、クロック信号を前記駆動部に出力し、
前記駆動部は、電力伝送能力が互いに異なる第１駆動方式または第２駆動方式により前記出力部を駆動し、
前記駆動方式切替部は、受電装置の電力消費情報に応じて前記第１駆動方式または前記第２駆動方式を選択する
非接触電力伝送システムの送電装置。
【請求項２】
前記送電装置は、前記駆動部に入力される電圧である出力部駆動電圧、前記クロック信号の周波数、および前記クロック信号の時比率のうちの少なくとも１つを変更することより、前記第１駆動方式の電力伝送能力および前記第２駆動方式の電力伝送能力を調整する
請求項１に記載の非接触電力伝送システムの送電装置。
【請求項３】
前記駆動部は、前記第１駆動方式としてハーフブリッジ駆動方式を有し、前記第２駆動方式としてフルブリッジ駆動方式を有する
請求項１または２に記載の非接触電力伝送システムの送電装置。
【請求項４】
前記駆動部は、前記出力部を駆動するための複数のトランジスタを有し、
前記駆動方式切替部は、前記複数のトランジスタにクロック信号を出力することにより前記第１駆動方式または前記第２駆動方式を選択する
請求項１〜３のいずれか一項に記載の非接触電力伝送システムの送電装置。
【請求項５】
請求項１〜４のいずれか一項に記載の送電装置と、
受電装置と
を有する非接触電力伝送システム。
【請求項６】
非接触電力伝送システムの電力伝送能力調整方法であって、
前記非接触電力伝送システムは、
送電装置および受電装置を有し、
前記送電装置は、
電力伝送能力が互いに異なる第１駆動方式および第２駆動方式を有し、
前記電力伝送能力調整方法は、
前記受電装置において前記受電装置の電力消費量を検知する工程と、
前記電力消費量の検知結果を前記受電装置から前記送電装置に伝送する工程と、
前記電力消費量の検知結果に基づいて前記第１駆動方式および前記第２駆動方式のいずれか一方を選択する工程と
を含む非接触電力伝送システムの電力伝送能力調整方法。
【請求項７】
前記電力伝送能力調整方法は、
前記送電装置の出力部駆動電圧、出力部駆動用クロック信号の周波数、および前記出力部駆動用クロック信号の時比率のうちの少なくとも１つを変更する工程を含む
請求項６に記載の非接触電力伝送システムの電力伝送能力調整方法。
【発明の詳細な説明】
【技術分野】
【０００１】
本発明は、非接触電力伝送システムの送電装置、非接触電力伝送システム、および非接触電力伝送システムの電力伝送能力調整方法に関する。
【背景技術】
【０００２】
従来の非接触電力伝送システムは、送電装置および受電装置を有する。受電装置は、出力電圧情報を送電装置に伝送する。送電装置は、受電装置の出力電圧情報に基づいて出力電圧を制御する。なお、特許文献１は、従来の非接触電力伝送システムの一例を開示している。
【先行技術文献】
【特許文献】
【０００３】
【特許文献１】特開２０１２−５１８５号公報
【発明の概要】
【発明が解決しようとする課題】
【０００４】
電力消費量が異なる複数種類の受電装置に対して電力を伝送する非接触電力伝送システムの送電装置は、複数種類の受電装置における最大電力消費量以上の電力を受電装置に供給可能な構成を有する。大電力を供給可能とする送電装置の構成は、電力供給能力に応じて電力損失が多くなる。このため、少ない電力損失を実現する構成を用いた送電装置は、電力供給能力が制限される。このため、非接触電力伝送システムは、適用可能な受電装置の種類が制限される。
【０００５】
本発明は、以上の背景をもとに創作されたものであり、電力供給能力が大きく、かつ電力損失が少ない非接触電力伝送システムの送電装置、非接触電力伝送システム、および非接触電力伝送システムの電力伝送能力調整方法を提供することを目的とする。
【課題を解決するための手段】
【０００６】
（１）第１の手段は、「非接触電力伝送システムの送電装置であって、前記送電装置は、出力部、発振部、駆動部、および駆動方式切替部を有し、前記出力部は、前記駆動部から出力される信号に基づいて電力を伝送し、前記発振部は、クロック信号を前記駆動部に出力し、前記駆動部は、電力伝送能力が互いに異なる第１駆動方式または第２駆動方式により前記出力部を駆動し、前記駆動方式切替部は、受電装置の電力消費情報に応じて前記第１駆動方式または前記第２駆動方式を選択する非接触電力伝送システムの送電装置」を含む。
【０００７】
（２）第２の手段は、「前記送電装置は、前記駆動部に入力される電圧である出力部駆動電圧、前記クロック信号の周波数、および前記クロック信号の時比率のうちの少なくとも１つを変更することより、前記第１駆動方式の電力伝送能力および前記第２駆動方式の電力伝送能力を調整する非接触電力伝送システムの送電装置」を含む。
【０００８】
（３）第３の手段は、「前記駆動部は、前記第１駆動方式としてハーフブリッジ駆動方式を有し、前記第２駆動方式としてフルブリッジ駆動方式を有する非接触電力伝送システムの送電装置」を含む。
【０００９】
（４）第４の手段は、「前記駆動部は、前記出力部を駆動するための複数のトランジスタを有し、前記駆動方式切替部は、前記複数のトランジスタにクロック信号を出力することにより前記第１駆動方式または前記第２駆動方式を選択する非接触電力伝送システムの送電装置」を含む。
【００１０】
（５）第５の手段は、「前記送電装置と、受電装置とを有する非接触電力伝送システム」を含む。
（６）第６の手段は、「非接触電力伝送システムの電力伝送能力調整方法であって、前記非接触電力伝送システムは、送電装置および受電装置を有し、前記送電装置は、電力伝送能力が互いに異なる第１駆動方式および第２駆動方式を有し、前記電力伝送能力調整方法は、前記受電装置において前記受電装置の電力消費量を検知する工程と、前記電力消費量の検知結果を前記受電装置から前記送電装置に伝送する工程と、前記電力消費量の検知結果に基づいて前記第１駆動方式および前記第２駆動方式のいずれか一方を選択する工程とを含む非接触電力伝送システムの電力伝送能力調整方法」を含む。
【００１１】
（７）第７の手段は、「前記電力伝送能力調整方法は、前記送電装置の出力部駆動電圧、出力部駆動用クロック信号の周波数、および前記出力部駆動用クロック信号の時比率のうちの少なくとも１つを変更する工程を含む非接触電力伝送システムの電力伝送能力調整方法」を含む。
【発明の効果】
【００１２】
本非接触電力伝送システムの送電装置、本非接触電力伝送システム、および本非接触電力伝送システムの電力伝送能力調整方法は、電力供給能力の拡大、かつ電力損失の削減に貢献する。
【図面の簡単な説明】
【００１３】
【図１】第１実施形態における非接触電力伝送システムの構成図。
【図２】第１実施形態における送電部の回路構成図。
【図３】第１実施形態における送電装置の動作波形図。
【図４】第１実施形態における送電装置の電力伝送能力制御フロー図。
【図５】第２実施形態における非接触電力伝送システムの構成図。
【図６】第２実施形態における送電装置の電力伝送能力調整フロー図。
【図７】その他の実施形態における駆動方式切替部の回路構成図。
【図８】その他の実施形態における送電装置の動作波形図。
【発明を実施するための形態】
【００１４】
（第１実施形態）
図１を参照して、非接触電力伝送システム１の構成について説明する。
非接触電力伝送システム１は、送電装置１０および受電装置２０を有する。送電装置１０は、直流電圧発生部１１、発振部１２、駆動方式切替部５０、駆動部４０、出力部３０、および送電側検知部１５を有する。
【００１５】
直流電圧発生部１１は、商用電源２から直流電圧を発生する。直流電圧発生部１１は、発生電圧を送電側高電位電源ライン１７および送電側低電位電源ライン１８に供給する。駆動部４０は、送電側高電位電源ライン１７および送電側低電位電源ライン１８間に接続される。
【００１６】
図２を参照して、駆動部４０の回路構成について説明する。
駆動部４０は、Ｐ型の第１トランジスタＴ１、Ｐ型の第２トランジスタＴ２、Ｎ型の第３トランジスタＴ３、およびＮ型の第４トランジスタＴ４を有する。駆動部４０は、第１トランジスタＴ１に付随する第１ダイオードＤ１および第１コンデンサＣ１を有する。駆動部４０は、第２トランジスタＴ２に付随する第２ダイオードＤ２および第２コンデンサＣ２を有する。駆動部４０は、第３トランジスタＴ３に付随する第３ダイオードＤ３および第３コンデンサＣ３を有する。駆動部４０は、第４トランジスタＴ４に付随する第４ダイオードＤ４および第４コンデンサＣ４を有する。駆動部４０は、駆動信号Φｐ１、駆動信号Φｐ２、駆動信号Φｎ１、および駆動信号Φｎ２によりトランジスタＴ１〜Ｔ４が駆動される。駆動部４０は、トランジスタＴ１〜Ｔ４の駆動状態に基づいて、出力部３０を構成する送電側共振コンデンサ３１および送電コイル３２に流れる電流の向きを切替える。駆動部４０は、送電コイル３２に交流電力を供給する。送電コイル３２は、電磁誘導作用を用いて受電コイル６１に電力を伝送する。
【００１７】
駆動方式切替部５０は、第１トランジスタＴ１を駆動するための駆動信号Φｐ１を駆動部４０に出力する。駆動方式切替部５０は、第２トランジスタＴ２を駆動するための駆動信号Φｐ２を駆動部４０に出力する。駆動方式切替部５０は、第３トランジスタＴ３を駆動するための駆動信号Φｎ１を駆動部４０に出力する。駆動方式切替部５０は、第４トランジスタＴ４を駆動するための駆動信号Φｎ２を駆動部４０に出力する。
【００１８】
駆動方式切替部５０は、信号Φｃおよび信号ＳＷに応じて、駆動信号Φｐ１、駆動信号Φｐ２、駆動信号Φｎ１、および駆動信号Φｎ２の出力レベルをハイレベルまたはローレベルに設定する。駆動方式切替部５０は、駆動信号毎に出力レベルを設定する。駆動方式切替部５０は、駆動信号出力のハイレベルとして、送電側高電位電源ライン１７の電位を設定する。駆動方式切替部５０は、駆動信号出力のローレベルとして、送電側低電位電源ライン１８の電位を設定する。
【００１９】
駆動部４０の動作を以下に説明する。
駆動部４０は、駆動方式切替部５０から受信した駆動信号に応じてトランジスタＴ１〜Ｔ４を駆動する。駆動部４０は、トランジスタＴ１〜Ｔ４の駆動状態に応じて出力部３０の第１端部３０Ａおよび第２端部３０Ｂの電位差を変化させる。
【００２０】
第１トランジスタＴ１は、駆動信号Φｐ１に応じてオンまたはオフの状態を形成する。第１トランジスタＴ１は、ローレベルの駆動信号Φｐ１が入力されているとき、オンの状態を形成する。第１トランジスタＴ１は、ハイレベルの駆動信号Φｐ１が入力されているとき、オフの状態を形成する。
【００２１】
第２トランジスタＴ２は、駆動信号Φｐ２に応じてオンまたはオフの状態を形成する。第２トランジスタＴ２は、ローレベルの駆動信号Φｐ２が入力されているとき、オンの状態を形成する。第２トランジスタＴ２は、ハイレベルの駆動信号Φｐ２が入力されているとき、オフの状態を形成する。
【００２２】
第３トランジスタＴ３は、駆動信号Φｎ１に応じてオンまたはオフの状態を形成する。第３トランジスタＴ３は、ハイレベルの駆動信号Φｎ１が入力されているとき、オンの状態を形成する。第３トランジスタＴ３は、ローレベルの駆動信号Φｎ１が入力されているとき、オフの状態を形成する。
【００２３】
第４トランジスタＴ４は、駆動信号Φｎ２に応じてオンまたはオフの状態を形成する。第４トランジスタＴ４は、ハイレベルの駆動信号Φｎ２が入力されているとき、オンの状態を形成する。第４トランジスタＴ４は、ローレベルの駆動信号Φｎ２が入力されているとき、オフの状態を形成する。
【００２４】
発振部１２は、駆動部４０に与える駆動信号Φｐ１、駆動信号Φｎ１、駆動信号Φｐ２、および駆動信号Φｎ２の基となるクロック信号Φｃを発生する。発振部１２は、所定の周波数によりハイレベルの信号Φｃおよびローレベルの信号Φｃを繰り返し出力する。発振部１２は、クロック信号Φｃのハイレベルとして、送電側高電位電源ライン１７の電位を設定する。発振部１２は、クロック信号Φｃのローレベルとして、送電側低電位電源ライン１８の電位を設定する。駆動方式切替部５０は、クロック信号Φｃを基に駆動部４０に与える駆動信号Φｐ１、駆動信号Φｎ１、駆動信号Φｐ２、および駆動信号Φｎ２を生成する。送電側検知部１５は、送電コイル３２を介して受け取った受電装置２０における電力消費情報を所定のしきい値と比較する。送電側検知部１５は、比較結果を切替信号ＳＷとして駆動方式切替部５０に出力する。送電側検知部１５は、切替信号ＳＷのハイレベルとして、送電側高電位電源ライン１７の電位を設定する。送電側検知部１５は、切替信号ＳＷのローレベルとして、送電側低電位電源ライン１８の電位を設定する。駆動方式切替部５０は、送電側検知部１５から受け取る切替信号ＳＷに応じて、駆動部４０に与える駆動信号Φｐ１、駆動信号Φｎ１、駆動信号Φｐ２、および駆動信号Φｎ２の信号レベルを制御する。
【００２５】
図２を参照して、駆動方式切替部５０の回路構成について説明する。
駆動方式切替部５０は、第１ＮＡＮＤゲート５１、第１ＮＯＲゲート５２、第１インバータ５３、およびバッファ５４を有する。
【００２６】
第１ＮＡＮＤゲート５１の第１入力部は、発振部１２と接続される。第１ＮＡＮＤゲート５１の第２入力部は、送電側検知部１５と接続される。第１ＮＡＮＤゲート５１の出力部は、第１トランジスタＴ１と接続される。
【００２７】
第１ＮＯＲゲート５２の第１入力部は、第１インバータ５３の出力部と接続される。第１ＮＯＲゲート５２の第２入力部は、発振部１２と接続される。第１ＮＯＲゲート５２の出力部は、第３トランジスタＴ３と接続される。
【００２８】
第１インバータ５３の入力部は、送電側検知部１５と接続される。バッファ５４の入力部は、発振部１２と接続される。バッファ５４の出力部は、第２トランジスタＴ２および第４トランジスタＴ４と接続される。
【００２９】
第１トランジスタＴ１のゲート端子は、第１ＮＡＮＤゲート５１の出力部と接続される。第２トランジスタＴ２のゲート端子は、バッファ５４の出力部と接続される。第３トランジスタＴ３のゲート端子は、第１ＮＯＲゲート５２の出力部と接続される。第４トランジスタＴ４のゲート端子は、バッファ５４の出力部と接続される。  
【００３０】
送電側検知部１５は、受電装置２０における電力消費情報がしきい値以上のとき、ハイレベルの信号ＳＷを出力する。送電側検知部１５は、受電装置２０における電力消費情報がしきい値未満のとき、ローレベルの信号ＳＷを出力する。
【００３１】
図３を参照して、駆動方式切替部５０の動作について説明する。
駆動方式切替部５０は、信号Φｃおよび信号ＳＷに基づいて、駆動信号Φｐ１、駆動信号Φｐ２、駆動信号Φｎ１、および駆動信号Φｎ２を出力する。
【００３２】
駆動方式切替部５０は、３個の論理演算を行う。駆動方式切替部５０は、第１インバータ５３において信号ＳＷの否定論理演算を行う。駆動方式切替部５０は、第１ＮＡＮＤゲート５１において、信号ＳＷおよび信号Φｃの否定論理和演算を行う。駆動方式切替部５０は、第１ＮＯＲゲート５２において、第１インバータ５３の出力信号および信号Φｃの否定論理積演算を行う。
【００３３】
駆動方式切替部５０は、第１ＮＡＮＤゲート５１の演算結果に基づいて駆動信号Φｐ１を生成し、生成した駆動信号Φｐ１を第１トランジスタＴ１に出力する。駆動方式切替部５０は、第１ＮＯＲゲート５２の演算結果に基づいて駆動信号Φｎ１を生成し、生成した駆動信号Φｎ１を第３トランジスタＴ３に出力する。駆動方式切替部５０は、バッファ５４を介して信号Φｃに基づいた駆動信号Φｐ２を生成し、生成した駆動信号Φｐ２を第２トランジスタＴ２に出力する。駆動方式切替部５０は、バッファ５４を介して信号Φｃに基づいた駆動信号Φｎ２を生成し、生成した駆動信号Φｎ２を第４トランジスタＴ４に出力する。
【００３４】
第１ＮＡＮＤゲート５１は、信号ＳＷがローレベルのとき、駆動信号Φｐ１の出力レベルをハイレベルに固定する。すなわち、第１ＮＡＮＤゲート５１は、信号ＳＷがローレベルのとき、第１トランジスタＴ１をオフの状態に固定する。
【００３５】
第１ＮＯＲゲート５２は、信号ＳＷがローレベルのとき、駆動信号Φｎ１の出力レベルをローレベルに固定する。すなわち、第１ＮＯＲゲート５２は、信号ＳＷがローレベルのとき、第３トランジスタＴ３をオフの状態に固定する。
【００３６】
図３を参照して、送電装置１０の動作の一例について説明する。
送電側検知部１５は、時刻ｔ１１において、受電装置２０から受信した電力消費情報を所定のしきい値と比較した結果として、ハイレベルの信号ＳＷを駆動方式切替部５０へ出力する。
【００３７】
駆動方式切替部５０は、時刻ｔ１１〜ｔ１２の期間において、次のとおり動作する。駆動方式切替部５０は、発振部１２からローレベルの信号Φｃを受信し、送電側検知部１５からハイレベルの信号ＳＷを受信する。駆動方式切替部５０は、ローレベルの信号Φｃおよびハイレベルの信号ＳＷを論理演算することにより、ハイレベルの駆動信号Φｐ１、ローレベルの駆動信号Φｐ２、ハイレベルの駆動信号Φｎ１、およびローレベルの駆動信号Φｎ２を出力する。
【００３８】
駆動部４０は、時刻ｔ１１〜ｔ１２の期間において、次のとおり動作する。第１トランジスタＴ１は、ハイレベルの駆動信号Φｐ１が入力されることにより、オフの状態を形成する。第２トランジスタＴ２は、ローレベルの駆動信号Φｐ２が入力されることにより、オンの状態を形成する。第３トランジスタＴ３は、ハイレベルの駆動信号Φｎ１が入力されることにより、オンの状態を形成する。第４トランジスタＴ４は、ローレベルの駆動信号Φｎ２が入力されることにより、オフの状態を形成する。
【００３９】
出力部３０は、時刻ｔ１１〜ｔ１２の期間において、次のとおり動作する。出力部３０の第１端部３０Ａは、第２トランジスタＴ２を介して送電側高電位電源ライン１７に接続される。出力部３０の第２端部３０Ｂは、第３トランジスタＴ３を介して送電側低電位電源ライン１８に接続される。
【００４０】
送電装置１０は、時刻ｔ１１〜ｔ１２の期間において、出力部３０の第１端部３０Ａから出力部３０の第２端部３０Ｂに向けて、送電側高電位電源ライン１７の電位と送電側低電位電源ライン１８の電位との差に応じた電流を供給する。
【００４１】
駆動方式切替部５０は、時刻ｔ１２〜ｔ１３の期間において、次のとおり動作する。駆動方式切替部５０は、発振部１２からハイレベルの信号Φｃを受信し、送電側検知部１５からハイレベルの信号ＳＷを受信する。駆動方式切替部５０は、ハイレベルの信号Φｃおよびハイレベルの信号ＳＷを論理演算することにより、ローレベルの駆動信号Φｐ１、ハイレベルの駆動信号Φｐ２、ローレベルの駆動信号Φｎ１、およびハイレベルの駆動信号Φｎ２を出力する。
【００４２】
駆動部４０は、時刻ｔ１２〜ｔ１３の期間において、次のとおり動作する。第１トランジスタＴ１は、ローレベルの駆動信号Φｐ１が入力されることにより、オンの状態を形成する。第２トランジスタＴ２は、ハイレベルの駆動信号Φｐ２が入力されることにより、オフの状態を形成する。第３トランジスタＴ３は、ローレベルの駆動信号Φｎ１が入力されることにより、オフの状態を形成する。第４トランジスタＴ４は、ハイレベルの駆動信号Φｎ２が入力されることにより、オンの状態を形成する。
【００４３】
出力部３０は、時刻ｔ１２〜ｔ１３の期間において、次のとおり動作する。出力部３０の第１端部３０Ａは、第４トランジスタＴ４を介して送電側低電位電源ライン１８に接続される。出力部３０の第２端部３０Ｂは、第１トランジスタＴ１を介して送電側高電位電源ライン１７に接続される。
【００４４】
送電装置１０は、時刻ｔ１２〜ｔ１３の期間において、出力部３０の第２端部３０Ｂから出力部３０の第１端部３０Ａに向けて、送電側高電位電源ライン１７の電位と送電側低電位電源ライン１８の電位との差に応じた電流を供給する。
【００４５】
駆動方式切替部５０、駆動部４０、および出力部３０は、時刻ｔ１３〜ｔ１４の期間において、次のとおり動作する。駆動方式切替部５０、駆動部４０、および出力部３０は、時刻ｔ１３〜ｔ１４の期間において、時刻ｔ１１〜ｔ１２の期間における動作と同様の動作を行う。
【００４６】
駆動方式切替部５０、駆動部４０、および出力部３０は、時刻ｔ１４〜ｔ１５の期間において、次のとおり動作する。駆動方式切替部５０、駆動部４０、および出力部３０は、時刻ｔ１４〜ｔ１５の期間において、時刻ｔ１２〜ｔ１３の期間における動作と同様の動作を行う。
【００４７】
駆動方式切替部５０、駆動部４０、および出力部３０は、時刻ｔ１５〜ｔ１の期間において、次のとおり動作する。駆動方式切替部５０、駆動部４０、および出力部３０は、時刻ｔ１５〜ｔ１の期間において、時刻ｔ１１〜ｔ１２の期間における動作と同様の動作を行う。
【００４８】
このため、送電装置１０は、送電側検知部１５がハイレベルの切替信号ＳＷを出力する時刻ｔ１１〜ｔ１の期間において、送電側高電位電源ライン１７の電位と送電側低電位電源ライン１８の電位との差に応じた電流を出力部３０に供給する。送電装置１０は、送電側検知部１５がハイレベルの切替信号ＳＷを出力する時刻ｔ１１〜ｔ１の期間において、出力部３０に供給する電流の向きを、クロック信号Φｃのレベルに応じて切替える。すなわち、駆動部４０は、フルブリッジ回路を形成する。
【００４９】
送電側検知部１５は、時刻ｔ１において、受電装置２０から受信した電力消費情報を所定のしきい値と比較した結果として、ローレベルの信号ＳＷを駆動方式切替部５０へ出力する。
【００５０】
駆動方式切替部５０は、時刻ｔ１〜ｔ２１の期間において、次のとおり動作する。駆動方式切替部５０は、発振部１２からローレベルの信号Φｃを受信し、送電側検知部１５からローレベルの信号ＳＷを受信する。駆動方式切替部５０は、ローレベルの信号Φｃおよびローレベルの信号ＳＷを論理演算することにより、ハイレベルの駆動信号Φｐ１、ローレベルの駆動信号Φｐ２、ローレベルの駆動信号Φｎ１、およびローレベルの駆動信号Φｎ２を出力する。
【００５１】
駆動部４０は、時刻ｔ１〜ｔ２１の期間において、次のとおり動作する。第１トランジスタＴ１は、ハイレベルの駆動信号Φｐ１が入力されることにより、オフの状態を形成する。第２トランジスタＴ２は、ローレベルの駆動信号Φｐ２が入力されることにより、オンの状態を形成する。第３トランジスタＴ３は、ローレベルの駆動信号Φｎ１が入力されることにより、オフの状態を形成する。第４トランジスタＴ４は、ローレベルの駆動信号Φｎ２が入力されることにより、オフの状態を形成する。
【００５２】
出力部３０は、時刻ｔ１〜ｔ２１の期間において、次のとおり動作する。出力部３０の第１端部３０Ａは、第２トランジスタＴ２を介して送電側高電位電源ライン１７に接続される。出力部３０の第２端部３０Ｂは、第１コンデンサＣ１を介して送電側高電位電源ライン１７に接続される。出力部３０の第２端部３０Ｂは、第３コンデンサＣ３を介して送電側低電位電源ライン１８に接続される。
【００５３】
送電装置１０は、時刻ｔ１〜ｔ２１の期間において、出力部３０の第１端部３０Ａから出力部３０の第２端部３０Ｂに向けて、送電側高電位電源ライン１７の電位と、第１コンデンサＣ１および第３コンデンサＣ３により分圧された送電側高電位電源ライン１７の電位および送電側低電位電源ライン１８の電位とに応じた電流を供給する。
【００５４】
駆動方式切替部５０は、時刻ｔ２１〜ｔ２２の期間において、次のとおり動作する。駆動方式切替部５０は、発振部１２からハイレベルの信号Φｃを受信し、送電側検知部１５からローレベルの信号ＳＷを受信する。駆動方式切替部５０は、ハイレベルの信号Φｃおよびローレベルの信号ＳＷを論理演算することにより、ハイレベルの駆動信号Φｐ１、ハイレベルの駆動信号Φｐ２、ローレベルの駆動信号Φｎ１、およびハイレベルの駆動信号Φｎ２を出力する。
【００５５】
駆動部４０は、時刻ｔ２１〜ｔ２２の期間において、次のとおり動作する。第１トランジスタＴ１は、ハイレベルの駆動信号Φｐ１が入力されることにより、オフの状態を形成する。第２トランジスタＴ２は、ハイレベルの駆動信号Φｐ２が入力されることにより、オフの状態を形成する。第３トランジスタＴ３は、ローレベルの駆動信号Φｎ１が入力されることにより、オフの状態を形成する。第４トランジスタＴ４は、ハイレベルの駆動信号Φｎ２が入力されることにより、オンの状態を形成する。
【００５６】
出力部３０は、時刻ｔ２１〜ｔ２２の期間において、次のとおり動作する。出力部３０の第１端部３０Ａは、第４トランジスタＴ４を介して送電側低電位電源ライン１８に接続される。出力部３０の第２端部３０Ｂは、第１コンデンサＣ１を介して送電側高電位電源ライン１７に接続される。出力部３０の第２端部３０Ｂは、第３コンデンサＣ３を介して送電側低電位電源ライン１８に接続される。
【００５７】
送電装置１０は、時刻ｔ２１〜ｔ２２の期間において、出力部３０の第２端部３０Ｂから出力部３０の第１端部３０Ａに向けて、第１コンデンサＣ１および第３コンデンサＣ３により分圧された送電側高電位電源ライン１７の電位および送電側低電位電源ライン１８の電位と、送電側低電位電源ライン１８の電位とに応じた電流を供給する。
【００５８】
駆動方式切替部５０、駆動部４０、および出力部３０は、時刻ｔ２２〜ｔ２３の期間において、次のとおり動作する。駆動方式切替部５０、駆動部４０、および出力部３０は、時刻ｔ２２〜ｔ２３の期間において、時刻ｔ１〜ｔ２１の期間における動作と同様の動作を行う。
【００５９】
駆動方式切替部５０、駆動部４０、および出力部３０は、時刻ｔ２３〜ｔ２４の期間において、次のとおり動作する。駆動方式切替部５０、駆動部４０、および出力部３０は、時刻ｔ２３〜ｔ２４の期間において、時刻ｔ２１〜ｔ２２の期間における動作と同様の動作を行う。
【００６０】
このため、送電装置１０は、送電側検知部１５がローレベルの切替信号ＳＷを出力する時刻ｔ１〜ｔ２４の期間において、送電側高電位電源ライン１７の電位と、第１コンデンサＣ１および第３コンデンサＣ３により分圧された送電側高電位電源ライン１７の電位および送電側低電位電源ライン１８の電位とに応じた電流を出力部３０に供給する。送電装置１０は、送電側検知部１５がローレベルの切替信号ＳＷを出力する時刻ｔ１〜ｔ２４の期間において、出力部３０に供給する電流の向きを、クロック信号Φｃのレベルに応じて切替える。すなわち、駆動部４０は、ハーフブリッジ回路を形成する。
【００６１】
受電装置２０は、入力部６０、整流回路２１、および定電圧回路２２を有する。入力部６０は、受電コイル６１および受電側共振コンデンサ６２を有する。整流回路２１は、入力部で受電した交流電力を直流電力に変換する。定電圧回路２２は、整流回路２１の出力から所定の電圧を生成する。定電圧回路２２は、発生した電圧を受電側高電位電源ライン２７および受電側低電位電源ライン２８を介して負荷２３に供給する。受電側検知部２６は、受電側高電位電源ライン２７の電位を検知する。受電側検知部２６は、抵抗２４に発生する電圧を用いて、負荷２３を介して受電側高電位電源ライン２７から受電側低電位電源ライン２８に流れる電流を検知する。受電側制御部２５は、受電側検知部２６の検知結果出力に基づいて定電圧回路２２に対する制御信号を生成する。定電圧回路２２は、受電側制御部２５の出力に基づいて出力電圧を制御する。
【００６２】
受電側検知部２６は、検知結果出力を受電コイル６１に供給する。受電側検知部２６の検知結果出力は、受電装置２０の電力消費情報として送電装置１０の送電コイル３２に伝送される。受電装置２０は、負荷変調方式を用いて電力消費情報を送電装置１０に伝送する。
【００６３】
送電装置１０の送電側検知部１５は、受電装置２０から送電コイル３２に伝送された電力消費情報を所定のしきい値と比較する。送電側検知部１５は、電力消費情報としきい値との比較結果に基づいて切替信号ＳＷを駆動方式切替部５０に出力する。
【００６４】
図４を参照して、送電装置１０の電力伝送能力制御動作について説明する。
駆動部４０は、ステップＳ１１において、送電装置１０の電源が投入されると、ハーフブリッジ駆動方式を選択する。このことにより、送電装置１０は、ハーフブリッジ駆動方式による電力伝送を開始する。受電装置２０に送電装置１０からの電力が送電されると、受電側検知部２６は、ステップＳ１２において、受電装置２０の電力消費量を検知する。受電側検知部２６は、ステップＳ１３において、受電装置２０の電力消費情報を送電装置１０に伝送する。送電側検知部１５は、ステップＳ１４において、電力消費情報を所定のしきい値と比較する。駆動方式切替部５０は、電力消費情報がしきい値よりも小さいとき、ステップＳ１５において、駆動部４０の駆動方式をハーフブリッジ駆動方式に切替える。駆動方式切替部５０は、電力消費情報がしきい値よりも大きいとき、ステップＳ１６において、駆動部４０の駆動方式をフルブリッジ駆動方式に切替える。送電装置１０は、ステップＳ１７において、選択された駆動方式により電力伝送を行う。非接触電力伝送システム１は、送電装置１０から受電装置２０に対する電力伝送を継続している期間において、ステップＳ１２〜ステップＳ１７を繰り返す。
【００６５】
非接触電力伝送システム１は、以下の効果を奏する。
（１）非接触電力伝送システム１の送電装置１０は、駆動部４０、駆動方式切替部５０および送電側検知部１５を有する。送電側検知部１５は、受電装置２０から伝送される電力消費情報を所定のしきい値と比較する。駆動方式切替部５０は、送電側検知部１５の比較結果に基づいて駆動部４０の駆動方式を選択する。この構成によれば、送電装置１０は、受電装置２０における電力消費が多いとき、駆動部４０の駆動方式としてフルブリッジ駆動方式を選択する。送電装置１０は、受電装置２０における電力消費が少ないとき、駆動部４０の駆動方式としてハーフブリッジ駆動方式を選択する。このため、電力供給能力が大きく、かつ電力損失が少ない非接触電力伝送システム１を実現できる。
【００６６】
（２）非接触電力伝送システム１の受電装置２０は、定電圧回路２２、抵抗２４および、受電側検知部２６を有する。受電側検知部２６は、抵抗２４に発生する電圧を用いて、負荷２３に流れる電流を検知する。受電側検知部２６は、検知結果を受電装置２０の電力消費情報として送電装置１０に伝送する。送電側検知部１５は、受電装置２０から伝送される電力消費情報に基づいて切替信号ＳＷを出力する。駆動方式切替部５０は、切替信号ＳＷに基づいて駆動部４０の駆動方式を選択する。この構成によれば、送電装置１０の駆動部４０は、受電装置２０の電力消費情報に基づいて駆動方式が選択される。このため、送電装置１０からの電力伝送時に、リアルタイムで駆動部４０の駆動方式切替えが実行される。このため、駆動部４０は、受電装置２０の電力消費量に応じて、適切な駆動方式による電力供給が実行される。
【００６７】
（３）駆動部４０は、トランジスタＴ１〜Ｔ４を有する。駆動方式切替部５０は、トランジスタＴ１〜Ｔ４を駆動する駆動信号Φｐ１、Φｐ２、Φｎ１、およびΦｎ２を出力する。駆動方式切替部５０は、切替信号ＳＷに応じて駆動信号Φｐ１、Φｐ２、Φｎ１、およびΦｎ２のレベルを制御する。この構成によれば、簡単な回路構成で駆動部４０の駆動方式選択を実現できる。
【００６８】
（第２実施形態）
図５を参照して、第２実施形態の非接触電力伝送システム１について説明する。
第２実施形態の非接触電力伝送システム１は、第１実施形態の非接触電力伝送システム１と比較して以下の部分において異なる構成を有し、その他の部分において同一の構成を有する。なお、第１実施形態の非接触電力伝送システム１と共通する構成については同一の符号を付して、その説明の一部または全部を省略する。
【００６９】
第１実施形態の非接触電力伝送システム１は、受電装置２０に定電圧回路２２を有する。一方、第２実施形態の非接触電力伝送システム１は、送電装置１０に送電側制御部１６を有する。送電側制御部１６は、受電装置２０からの受電側高電位電源ライン２７の電位情報に基づいて、直流電圧発生部１１および発振部１２に対する制御信号を出力する。送電側制御部１６は、受電装置２０からの電力消費情報に基づいて、駆動部４０の駆動方式を選択する切替信号ＳＷを出力する。
【００７０】
非接触電力伝送システム１の動作について説明する。
受電装置２０の受電側検知部２６は、受電側高電位電源ライン２７の電位を検知する。受電側検知部２６は、抵抗２４に発生する電圧を用いて、負荷２３を介して受電側高電位電源ライン２７から受電側低電位電源ライン２８に流れる電流を検知する。受電側検知部２６は、検知結果出力を受電コイル６１に供給する。受電側検知部２６の検知結果出力は、受電側高電位電源ライン２７の電位情報および受電装置２０の電力消費情報として送電装置１０の送電コイル３２に伝送される。受電装置２０は、負荷変調方式を用いて受電側高電位電源ライン２７の電位情報および電力消費情報を送電装置１０に伝送する。
【００７１】
送電装置１０の送電側検知部１５は、受電装置２０から送電コイル３２に伝送された受電側高電位電源ライン２７の電位情報を検知する。送電側検知部１５は、受電側高電位電源ライン２７の電位情報の検知結果を送電側制御部１６に出力する。送電側検知部１５は、受電装置２０から送電コイル３２に伝送された電力消費情報を所定のしきい値と比較する。送電側検知部１５は、電力消費情報としきい値との比較結果を送電側制御部１６に出力する。送電側制御部１６は、送電側検知部１５の検知結果に基づいて直流電圧発生部１１に対して発生電圧を制御する制御信号を出力する。送電側制御部１６は、送電側検知部１５の検知結果に基づいて発振部１２に対してクロック信号Φｃの周波数および時比率を制御する制御信号を出力する。送電側制御部１６は、送電側検知部１５の比較結果に基づいて駆動方式切替部５０に切替信号ＳＷを出力する。
【００７２】
駆動部４０は、送電側制御部１６の出力に基づいて選択された駆動方式、クロック信号Φｃの周波数および時比率、および出力部駆動電圧である送電側高電位電源ライン１７および送電側低電位電源ライン１８間の電圧に基づいて送電側共振コンデンサ３１および送電コイル３２を駆動する。
【００７３】
図６を参照して、電力伝送能力調整制御の内容について説明する。
送電側制御部１６は、電力伝送能力調整制御を実行する。電力伝送能力調整制御の基本的な構成は、図６のフローチャートにより記述することができる。
【００７４】
駆動部４０は、ステップＳ２１において、送電装置の電源が投入されると、ハーフブリッジ駆動方式を選択する。このことにより、送電装置１０は、ハーフブリッジ駆動方式による電力伝送を開始する。受電装置２０に送電装置１０からの電力が送電されると、送電側制御部１６は、ステップＳ２２において、受電側高電位電源ライン２７が所定の電位となるよう、出力部３０の駆動電圧である直流電圧発生部１１の出力電圧、発振部１２のクロック信号Φｃの周波数および時比率を制御する。受電側検知部２６は、ステップＳ２３において、受電側高電位電源ライン２７の電位および受電装置２０の電力消費量を検知する。受電側検知部２６は、ステップＳ２４において、受電側高電位電源ライン２７の電位情報および受電装置２０の電力消費情報を送電装置１０に伝送する。送電側検知部１５は、ステップＳ２５において、電力消費情報を所定のしきい値と比較する。駆動方式切替部５０は、電力消費情報がしきい値よりも小さいとき、ステップＳ２６において、駆動部４０の駆動方式をハーフブリッジ駆動方式に切替える。駆動方式切替部５０は、電力消費情報がしきい値よりも大きいとき、ステップＳ２７において、駆動部４０の駆動方式をフルブリッジ駆動方式に切替える。送電装置１０は、ステップＳ２８において、選択された駆動方式を用いて、調整された電力伝送能力での電力伝送を行う。非接触電力伝送システム１は、送電装置１０から受電装置２０に対する電力伝送を継続している期間において、ステップＳ２２〜ステップＳ２８を繰り返す。このとき、送電側制御部１６は、ステップＳ２２において、受電装置２０から伝送される受電側高電位電源ライン２７の電位情報が所定の値となるよう、出力部３０の駆動電圧、発振部１２のクロック信号Φｃの周波数および時比率を制御する。
【００７５】
非接触電力伝送システム１は、第１実施形態の非接触電力伝送システム１が奏する（１）〜（３）と同様の効果を奏する。すなわち、電力供給能力が大きく、かつ電力損失が少ない、非接触電力伝送システムを実現できる旨の効果、受電装置２０の電力消費量に応じて、適切な駆動方式による電力伝送が実行される旨の効果、およびその他の種々の効果を奏する。また、非接触電力伝送システム１は、以下の効果を奏する。
【００７６】
（４）送電装置１０は、送電側検知部１５および送電側制御部１６を有する。送電側検知部１５は、受電装置２０から伝送される受電側高電位電源ライン２７の電位情報を検知する。送電側検知部１５は、受電装置２０から伝送される電力消費情報を所定のしきい値と比較する。送電側制御部１６は、送電側検知部１５の検知結果に基づいて、直流電圧発生部１１の発生電圧を制御する制御信号、および発振部１２のクロック信号Φｃの周波数および時比率を制御する制御信号を出力する。送電側制御部１６は、送電側検知部１５の比較結果に基づいて、駆動方式切替部５０の切替信号ＳＷを出力する。この構成によれば、駆動部４０の駆動方式の切替えに加え、駆動部４０の出力部駆動電圧、クロック周波数、およびクロック時比率の調整により送電装置１０の電力伝送能力を調整することができる。このため、消費電力が異なる複数の受電装置に対して、効率の良い電力伝送が可能な非接触電力伝送システムを実現できる。
【００７７】
（５）送電側検知部１５は、受電装置２０から伝送される受電側高電位電源ライン２７の電位情報を検知する。送電側制御部１６は、送電側検知部１５の検知結果に基づいて、直流電圧発生部１１の発生電圧を制御する制御信号、および発振部１２のクロック信号Φｃの周波数および時比率を制御する制御信号を出力する。この構成によれば、受電装置２０の構成を簡略化することができる。このため、受電装置２０の小型化に貢献できる。
【００７８】
（その他の実施形態）
本非接触電力伝送システムは、第１および第２実施形態以外の実施形態を含む。以下、本非接触電力伝送システムのその他の実施形態としての第１および第２実施形態の変形例を示す。なお、以下の各変形例は、互いに組み合わせることもできる。
【００７９】
・第１実施形態の駆動方式切替部５０は、切替信号ＳＷがローレベルのとき、駆動信号Φｐ１およびΦｎ１の信号レベルを固定値とする。一方、変形例の駆動方式切替部７０は、切替信号ＳＷがローレベルのとき、駆動信号Φｐ２およびΦｎ２の信号レベルを固定値とする。
【００８０】
図７を参照して、駆動方式切替部７０の回路構成を説明する。
駆動方式切替部７０は、第２インバータ７１、第３インバータ７２、第２ＮＡＮＤゲート７３、および第２ＮＯＲゲート７４を有する。
【００８１】
第２ＮＡＮＤゲート７３の第１入力部は、第２インバータ７１の出力信号と接続される。第２ＮＡＮＤゲート７３の第２入力部は、切替信号ＳＷと接続される。第２ＮＯＲゲート７４の第１入力部は、第３インバータ７２の出力部と接続される。第２ＮＯＲゲート７４の第２入力部は、第２インバータ７１の出力信号と接続される。
【００８２】
第２インバータ７１の入力部は、クロック信号Φｃと接続される。第３インバータ７２の入力部は、切替信号ＳＷと接続される。
第２ＮＡＮＤゲート７３は、駆動信号Φｐ２を出力する。第２ＮＯＲゲート７４は、駆動信号Φｎ２を出力する。第２インバータ７１は駆動信号Φｐ１および駆動信号Φｎ１を出力する。
【００８３】
図８を参照して、送電装置１０の動作の一例について説明する。
送電装置１０は、送電側検知部１５がハイレベルの信号ＳＷを出力する時刻ｔ１１〜ｔ１の期間において、第１実施形態の送電装置１０と同一の動作を行う。
【００８４】
送電装置１０は、時刻ｔ１１〜ｔ１の期間において、送電側高電位電源ライン１７の電位と送電側低電位電源ライン１８の電位との差に応じた電流を出力部３０に供給する。送電装置１０は、送電側検知部１５がハイレベルの切替信号ＳＷを出力する時刻ｔ１１〜ｔ１の期間において、出力部３０に供給する電流の向きを、クロック信号Φｃのレベルに応じて切替える。すなわち、駆動部４０は、フルブリッジ回路を形成する。
【００８５】
送電装置１０は、送電側検知部１５がローレベルの信号ＳＷを出力する時刻ｔ１〜ｔ２４の期間において、以下の動作を行う。
駆動方式切替部７０は、時刻ｔ１〜ｔ２１の期間において、次のとおり動作する。駆動方式切替部７０は、発振部１２からローレベルの信号Φｃを受信し、送電側検知部１５からローレベルの信号ＳＷを受信する。駆動方式切替部７０は、ローレベルの信号Φｃおよびローレベルの信号ＳＷを論理演算することにより、ハイレベルの駆動信号Φｐ１、ハイレベルの駆動信号Φｐ２、ハイレベルの駆動信号Φｎ１、およびローレベルの駆動信号Φｎ２を出力する。
【００８６】
駆動部４０は、時刻ｔ１〜ｔ２１の期間において、次のとおり動作する。第１トランジスタＴ１は、ハイレベルの駆動信号Φｐ１が入力されることにより、オフの状態を形成する。第２トランジスタＴ２は、ハイレベルの駆動信号Φｐ２が入力されることにより、オフの状態を形成する。第３トランジスタＴ３は、ハイレベルの駆動信号Φｎ１が入力されることにより、オンの状態を形成する。第４トランジスタＴ４は、ローレベルの駆動信号Φｎ２が入力されることにより、オフの状態を形成する。
【００８７】
出力部３０は、時刻ｔ１〜ｔ２１の期間において、次のとおり動作する。出力部３０の第１端部３０Ａは、第２コンデンサＣ２を介して送電側高電位電源ライン１７に接続される。出力部３０の第１端部３０Ａは、第４コンデンサＣ４を介して送電側低電位電源ライン１８に接続される。出力部３０の第２端部３０Ｂは、第３トランジスタＴ３を介して送電側低電位電源ライン１８に接続される。
【００８８】
送電装置１０は、時刻ｔ１〜ｔ２１の期間において、出力部３０の第１端部３０Ａから出力部３０の第２端部３０Ｂに向けて、第２コンデンサＣ２および第４コンデンサＣ４により分圧された送電側高電位電源ライン１７の電位および送電側低電位電源ライン１８の電位と、送電側低電位電源ライン１８の電位とに応じた電流を供給する。
【００８９】
駆動方式切替部７０は、時刻ｔ２１〜ｔ２２の期間において、次のとおり動作する。駆動方式切替部７０は、発振部１２からハイレベルの信号Φｃを受信し、送電側検知部１５からローレベルの信号ＳＷを受信する。駆動方式切替部７０は、ハイレベルの信号Φｃおよびローレベルの信号ＳＷを論理演算することにより、ローレベルの駆動信号Φｐ１、ハイレベルの駆動信号Φｐ２、ローレベルの駆動信号Φｎ１、およびローレベルの駆動信号Φｎ２を出力する。
【００９０】
駆動部４０は、時刻ｔ２１〜ｔ２２の期間において、次のとおり動作する。第１トランジスタＴ１は、ローレベルの駆動信号Φｐ１が入力されることにより、オンの状態を形成する。第２トランジスタＴ２は、ハイレベルの駆動信号Φｐ２が入力されることにより、オフの状態を形成する。第３トランジスタＴ３は、ローレベルの駆動信号Φｎ１が入力されることにより、オフの状態を形成する。第４トランジスタＴ４は、ローレベルの駆動信号Φｎ２が入力されることにより、オフの状態を形成する。
【００９１】
出力部３０は、時刻ｔ２１〜ｔ２２の期間において、次のとおり動作する。出力部３０の第１端部３０Ａは、第２コンデンサＣ２を介して送電側高電位電源ライン１７に接続される。出力部３０の第１端部３０Ａは、第４コンデンサＣ４を介して送電側低電位電源ライン１８に接続される。出力部３０の第２端部３０Ｂは、第１トランジスタＴ１を介して送電側高電位電源ライン１７に接続される。
【００９２】
送電装置１０は、時刻ｔ２１〜ｔ２２の期間において、出力部３０の第２端部３０Ｂから出力部３０の第１端部３０Ａに向けて、送電側高電位電源ライン１７の電位と、第２コンデンサＣ２および第４コンデンサＣ４により分圧された送電側高電位電源ライン１７の電位および送電側低電位電源ライン１８の電位とに応じた電流を供給する。
【００９３】
駆動方式切替部７０、駆動部４０、および出力部３０は、時刻ｔ２２〜ｔ２３の期間において、次のとおり動作する。駆動方式切替部７０、駆動部４０、および出力部３０は、時刻ｔ２２〜ｔ２３の期間において、時刻ｔ１〜ｔ２１の期間における動作と同様の動作を行う。
【００９４】
駆動方式切替部７０、駆動部４０、および出力部３０は、時刻ｔ２３〜ｔ２４の期間において、次のとおり動作する。駆動方式切替部７０、駆動部４０、および出力部３０は、時刻ｔ２３〜ｔ２４の期間において、時刻ｔ２１〜ｔ２２の期間における動作と同様の動作を行う。
【００９５】
このため、送電装置１０は、送電側検知部１５がローレベルの切替信号ＳＷを出力する時刻ｔ１〜ｔ２４の期間において、送電側高電位電源ライン１７の電位と、第２コンデンサＣ２および第４コンデンサＣ４により分圧された送電側高電位電源ライン１７の電位および送電側低電位電源ライン１８の電位とに応じた電流を出力部３０に供給する。送電装置１０は、送電側検知部１５がローレベルの切替信号ＳＷを出力する時刻ｔ１〜ｔ２４の期間において、出力部３０に供給する電流の向きを、クロック信号Φｃのレベルに応じて切替える。すなわち、駆動部４０は、ハーフブリッジ回路を形成する。
【００９６】
・第１実施形態の駆動部４０は、トランジスタＴ１〜Ｔ４、ダイオードＤ１〜Ｄ４、およびコンデンサＣ１〜Ｃ４を有する。一方、変形例の駆動部４０は、シリコン基板上に形成されたＭＯＳＦＥにより構成されるトランジスタＴ１〜Ｔ４を有する。ダイオードＤ１〜Ｄ４およびコンデンサＣ１〜Ｃ４は、トランジスタＴ１〜Ｔ４の構造に付随して形成される基板ダイオードおよび寄生容量により構成される。
【００９７】
・第１実施形態および第２実施形態の非接触電力伝送システム１は、受電側検知部２６が受電装置２０の電力消費量を検知する。受電側検知部２６が検知した電力消費量を送電装置１０に伝送する。一方、変形例の非接触電力伝送システム１は、受電側検知部２６が受電装置２０の電力消費量を所定のしきい値と比較する。受電側検知部２６が比較結果を送電装置１０に伝送する。
【００９８】
・第１実施形態および第２実施形態の非接触電力伝送システム１は、受電側高電位電源ライン２７の電位情報および電力消費情報の伝送方式として、負荷変調方式を用いる。一方、変形例の非接触電力伝送システム１は、近距離無線通信のＮＦＣ方式を用いる。または、その他の伝送方式を用いる。
【００９９】
・第１実施形態および第２実施形態の非接触電力伝送システム１は、送電側共振コンデンサ３１と送電コイル３２および受電側共振コンデンサ６２と受電コイル６１とが直列接続とされている。一方、変形例の非接触電力伝送システム１は、送電側共振コンデンサ３１と送電コイル３２および受電側共振コンデンサ６２と受電コイル６１とが並列接続とされる。または、直列接続および並列接続の組み合わせとされる。
【符号の説明】
【０１００】
１…非接触電力伝送システム、１０…送電装置、１２…発振部、２０…受電装置、３０…出力部、４０…駆動部、５０…駆動方式切替部、７０…駆動方式切替部、Φｃ…クロック信号、Ｔ１…第１トランジスタ、Ｔ２…第２トランジスタ、Ｔ３…第３トランジスタ、Ｔ４…第４トランジスタ。
【図１】
2014054134.tif 000003
【図２】
2014054134.tif 000004
【図３】
2014054134.tif 000005
【図４】
2014054134.tif 000006
【図５】
2014054134.tif 000007
【図６】
2014054134.tif 000008
【図７】
2014054134.tif 000009
【図８】
2014054134.tif 000010